(57)【要約】【課題】本体を逆さまにする等しても内容物の化粧料の粉が落ちる事がなく、周辺を汚す事がない化粧料容器を提供する。【解決手段】先軸１４を本体１０に格納した状態では、突起１８ａと２０ａの側面の間隙部分１８ａ１と２０ａ１によって収納部１８内の粉体化粧料を可動底部材２４の開口２４ａを介して筆部１２に向けて通す通路となり、一方、前記先軸１４を前記本体１０から外した状態では、その収納部１８及びシャッター部材２０の突起１８ａと２０ａの側面の間隙部分１８ａ１と２０ａ１が閉鎖されるようにしたものである。【選択図】図２
2014151063.tif 000002
【特許請求の範囲】
【請求項１】
一端が開口した筒状の本体と筆部を設けた先軸とを有し、該本体内にチークパウダー等の粉体化粧料が収容されていて、前記本体に前記開口から先軸を格納した状態で、該先軸の筆部に当該粉体化粧料が供給され、一方、前記本体から先軸を外した状態で筆部によって粉体化粧料を対象部に塗布可能にする化粧料容器おいて、
本体の内部には、粉体化粧料を収納する収納部と、該収納部を覆い摺動可能なシャッター部材と、スプリングによって該本体の開口端側に向けて付勢され、シャッター部材の外側に配置可能な可動底部材とを備え、
前記収納部と、前記シャッター部材とには、それぞれ軸線上に突起が設けられており、
前記先軸を前記本体に格納した状態では、前記の突起側面の間隙部分によって収納部内の粉体化粧料を可動底部材の開口を介して筆部に向けて通す通路となり、一方、前記先軸を前記本体から外した状態では、その収納部及びシャッター部材の突起側面の間隙部分が閉鎖されるようにしたことを特徴とする化粧料容器。
【請求項２】
前記本体と前記先軸とはネジ嵌合によって着脱可能になっており、
前記先軸の外周部と、可動底部材の開口端側内部には、互いに係合するための係合部が設けられていて、本体と先軸とをネジ嵌合した際に、先軸の外周部と可動底部材の内部の係合部同士が係合して、先軸に合わせて可動底部材が本体内で摺動するようになっていると共に、
前記収納部側の可動底部材の内面と、それに向き合うシャッター部材の外周部には、互いに係合するための係合部が設けられ、先軸の摺動に合わせて、可動底部材及びシャッター部材の係合部同士が係合した時点でシャッター部材も摺動するようにし、
先軸を本体に装着してネジ嵌合させる前には、収納部及びシャッター部材の突起側面の間隙部分が閉鎖されており、先軸を本体に装着して回転させてネジ嵌合し格納した状態では、前記の突起側面の間隙部分によって収納部内の化粧料を可動底部材の開口を介して筆部に向けて通す通路となるようにしたことを特徴とする請求項１に記載の化粧料容器。
【請求項３】
筆部を設けた先軸には、筆部を覆うためのスリーブと該スリーブの繰出機構とが設けられて、該繰出機構によりスリーブから突出した筆部の出先寸法の調整が可能とされたことを特徴とする請求項１または２に記載の化粧料容器。
【請求項４】
可動底部材の突起は、本体に先軸が収まった際に、筆部内に潜り込む位置関係となっていることを特徴とするに請求項２に記載の化粧料容器。
【請求項５】
先軸及び本体の嵌合ネジが多条のネジ山が形成されていることを特徴とする請求項２に記載の化粧料容器。
【請求項６】
本体内の収納部には、該本体の他端を閉鎖する尾栓を取り外すことによって粉体化粧料を補充可能としたことを特徴とする請求項１に記載の化粧料容器。
【発明の詳細な説明】
【技術分野】
【０００１】
本発明は、チークパウダー等の粉体化粧料を収容した本体と、化粧料に使用する化粧筆を、スリーブの繰出機構にて収容可能とした化粧筆付きの先軸とを有する化粧料容器に関する。
【背景技術】
【０００２】
従来、この種の化粧料容器の構造として、釜屋化学工業株式会社が有する特許第４８１４４４２号（特許文献１）の例が挙げられる。この化粧料容器は、内奥部に化粧料を収納した蓋体（本体）と、化粧料を塗布する化粧筆を繰り出し可能に内装した本体（筆保持部）とを嵌脱可能に備えている。
【０００３】
この化粧料容器の場合、蓋体内に収納する化粧料をプレストパウダーのものにしたり、メッシュで粉体化粧料を収めているが、結局、蓋体内で化粧料がむき出しになっている為、蓋体から化粧筆付きの本体を外した際に、粉体がこぼれ落ち手等や容器を汚してしまう恐れがあった。
【０００４】
また、ミロット社の有する実用新案登録第３０８３３６０号（特許文献２）の化粧料容器の例が有る。この化粧料容器は、本体の第１キャップと第２キャップとの間に細孔部材を設けて、第１キャップ内の粉末状化粧料を細孔部材で遮蔽し、細孔から粉末状化粧料をブラシなど塗布用具に分注するようにしたものである。しかしながら、化粧料容器では、細孔部材の細孔が常に開口しているため、キャップ外に粉末がこぼれることもあり、同様に手等や容器を汚してしまう恐れがあった。
【先行技術文献】
【特許文献】
【０００５】
【特許文献１】特許第４８１４４４２号公報
【特許文献２】実用新案登録第３０８３３６０号公報
【発明の概要】
【発明が解決しようとする課題】
【０００６】
本発明は、上記した実情に鑑み、本体を逆さまにする等各種方向に向けても内容物の化粧料の粉が落ちる事がなく、周辺を汚す事がない化粧料容器を提供しようとするものである。
【課題を解決するための手段】
【０００７】
本発明は、一端が開口した筒状の本体と筆部を設けた先軸とを有し、該本体内にチークパウダー等の粉体化粧料が収容されていて、前記本体に前記開口から先軸を格納した状態で、該先軸の筆部に当該粉体化粧料が供給され、一方、前記本体から先軸を外した状態で筆部によって粉体化粧料を対象部に塗布可能にする化粧料容器おいて、
本体の内部には、化粧料を収納する収納部と、該収納部を覆い摺動可能なシャッター部材と、スプリングによって該本体の開口端側に向けて付勢され、シャッター部材の外側に配置可能な可動底部材とを備え、
前記収納部と、前記シャッター部材とには、それぞれ軸線上に突起が設けられており、
前記先軸を前記本体に格納した状態では、前記の突起側面の間隙部分によって収納部内の化粧料を可動底部材の開口を介して筆部に向けて通す通路となり、一方、前記先軸を前記本体から外した状態では、その収納部及びシャッター部材の突起側面の間隙部分が閉鎖されるようにしたことを特徴とする化粧料容器である。
【０００８】
本発明においては、前記本体と前記先軸とはネジ嵌合によって着脱可能になっており、
前記先軸外周部と、可動底部材の開口端側内部には、互いに係合するための係合部が設けられていて、本体と先軸とをネジ嵌合した際に、先軸の外周部と可動底部材の内部の係合部同士が係合して、先軸に合わせて可動底部材が本体内で摺動するようになっていると共に、
前記収納部側の可動底部材の内面と、それに向き合うシャッター部材の外周部には、互いに係合するための係合部が設けられ、先軸の摺動に合わせて、可動底部材及びシャッター部材の係合部同士が係合した時点でシャッター部材も摺動するようにし、
先軸を本体に装着してネジ嵌合させる前には、収納部及びシャッター部材の突起側面の間隙部分が閉鎖されており、先軸を本体に装着して回転させてネジ嵌合し格納した状態では、前記の突起側面の間隙部分によって収納部内の化粧料を可動底部材の開口を介して筆部に向けて通す通路となるようにしたことが好適である。
【０００９】
また、本発明においては、筆部を設けた先軸には、筆部を覆うためのスリーブと該スリーブの繰出機構とが設けられて、該繰出機構によりスリーブから突出した筆部の出先寸法の調整が可能とされたことが好適である。
【００１０】
また、本発明においては、可動底部材の突起が、本体に先軸が収まった際に、筆部内に潜り込む位置関係となっていることが好適である。
【００１１】
本発明においては、先軸及び本体の嵌合ネジが多条のネジ山が形成されていることが好適である。
【００１２】
また、本発明においては、本体内の収納部には、該本体の他端を閉鎖する尾栓を取り外すことによって粉体化粧料を補充可能としたことが好適である。
【発明の効果】
【００１３】
本発明の化粧料容器によれば、本体の内部には、化粧料を収納する収納部と、該収納部を覆い摺動可能なシャッター部材と、スプリングによって該本体の開口端側に向けて付勢され、シャッター部材の外側に配置可能な可動底部材とを備え、前記収納部と、前記シャッター部材とには、それぞれ軸線上に突起を設け、前記先軸を前記本体に装着した状態では、前記の突起側面の間隙部分によって収納部内の化粧料を回動部材の開口を介して筆部に向けて通す通路となり、一方、前記先軸を前記本体から外した状態では、その収納部及びシャッター部材の突起側面の間隙部分が閉鎖されるようにしたので、先軸を本体から外した使用時に、シャッター部材と収納部との間隙部分が閉鎖されて通路が形成されないため、本体を逆さまにしても粉体化粧料がこぼれることがなく手等や容器を汚すことがない。
【００１４】
また、先軸を本体に装着した（ネジ嵌合時等の）状態（不使用時）では、シャッター部材と収納部との突起の間隙部分が開放して通路が連通するので、化粧料容器を振ることで粉体化粧料を筆部先端に供給することができる。
【００１５】
なお、先軸を本体に装着するのにネジ嵌合で着脱可能であるので使い易い。また、先軸を本体に装着してネジ嵌合させる前には、収納部及びシャッター部材の突起側面の間隙部分が閉鎖されており、先軸を本体に装着して回転させてネジ嵌合を完了した状態では、前記の突起側面の間隙部分によって収納部内の化粧料を可動底部材の開口を介して筆部に向けて通す通路となるようにすれば、先軸の本体にネジ締め付けが完了した状態で粉体化粧料が筆部に供給されるので、途中で粉体化粧料が漏れることがない。
【００１６】
また、本発明において該繰出機構によりスリーブから突出した筆部の出先寸法の調整が可能として、該筆部の筆先を必要なだけ出して使用しやすい。
【００１７】
また、可動底部材の突起が、本体に先軸が収まった際に、筆部内に潜り込む位置関係となっていることによって、筆部の筆先に少しもぐりこんだ位置に粉体化粧料を供給できるので、粉体化粧料が過剰で零れ落ち、周辺を汚すことなく使用できる。
【００１８】
また、嵌合ネジが多条ネジであれば、粉体化粧料の供給を頻繁に行った場合でもネジ回転の煩雑さを低減させることができる。
【００１９】
また、本体内の収納部には、該本体の他端を閉鎖する尾栓を取り外すことによって粉体化粧料を補充可能にできるという優れた効果を奏し得る。
【図面の簡単な説明】
【００２０】
【図１】本発明の実施形態に係る化粧料容器の不使用時に本体に先軸を格納した状態の説明図であり、（ａ）が本体側からの斜視図、（ｂ）が本体側からの軸方向視図、（ｃ）が側面図、（ｄ）が先軸側からの斜視図、（ｅ）が先軸側からの軸方向視図である。
【図２】図１の化粧料容器の使用時の本体及び先軸を示す説明図であり、（ａ）が側面図、（ｂ）が縦断面図、（ｃ）が（ｂ）の状態から軸中心に９０度回転させた縦断図である。
【図３】図１の化粧料容器の先軸の使用時の説明図であり、（ａ）が筆部先端側からの斜視図、（ｂ）が側面図、（ｃ）が後方側からの斜視図、（ｄ）が立設させた状態の筆部先端側からの斜視図である。
【図４】図１の化粧料容器の収納部の説明図であり、（ａ）が収納開口側（尾栓側）からの斜視図、（ｂ）が他の斜視図、（ｃ）が収納開口側からの軸方向視図、（ｄ）が側面図、（ｅ）が（ｄ）の状態から９０°回転させた側面図、（ｆ）が（ｄ）のｆ−ｆ線に沿う縦断面図、（ｇ）が（ｅ）のｇ−ｇ線に沿う縦断面図、（ｈ）が供給側からの斜視図、（ｉ）が供給側からの軸方向視図である。
【図５】図１の化粧料容器の可動底部材の説明図であり、（ａ）が収納部側からの斜視図、（ｂ）が収納部側（尾栓側）からの軸方向視図、（ｃ）が側面図、（ｄ）が（ｃ）の状態から９０°回転させた側面図、（ｅ）が（ｃ）のｅ−ｅ線に沿う縦断面図、（ｆ）が筆部装着側からの斜視図、（ｇ）が筆部装着側からの軸方向視図、（ｈ）が（ｄ）のｈ−ｈ線に沿う縦断面図である。
【図６】図１の化粧料容器のシャッター部材の説明図であり、（ａ）が収納部側からの斜視図、（ｂ）が収納部側（尾栓側）からの軸方向視図、（ｃ）が側面図、（ｄ）が（ｃ）の状態から９０°回転させた側面図、（ｅ）が（ｃ）のｅ−ｅ線に沿う縦断面図、（ｆ）が可動底部材装着側からの斜視図、（ｇ）が可動底部材装着側からの軸方向視図、（ｈ）が（ｄ）のｈ−ｈ線に沿う縦断面図である。
【図７】図１の化粧料容器の本体に先軸を格納する直前の説明図であり、（ａ）が側面図、（ｂ）が縦断面図、（ｃ）が（ｂ）の状態から軸中心に９０度回転させた縦断面図である。
【図８】図１の化粧料容器の本体に先軸を格納したときの説明図であり、（ａ）が縦断面図、（ｂ）が（ａ）の状態から軸中心に９０度回転させた縦断面図である。ある。
【図９】図１の化粧用容器の本体に先軸を格納する前後における粉体化粧料の通路が閉鎖・形成の説明図であり、（ａ）がシャッター部材と可動底部材の係合前、（ｂ）が先軸の格納直前で通路が閉鎖状態、（ｃ）が先軸の格納で通路が形成状態の各説明図である。
【図１０】図１の化粧料容器の先軸の説明図であり、（ａ）が筆部先端側からの斜視図、（ｂ）が側面図、（ｃ）が後方側からの斜視図、（ｄ）が立設させた状態の筆部先端側からの斜視図である。
【図１１】図１０の先軸の説明図であり、（ａ）がスリーブを引っ込めて筆部を露出した説明図、（ｂ）がスリーブを繰り出して筆部を覆った説明図、（ｃ）が筆部先端を本体に装着する状態の斜視説明図である。
【発明を実施するための形態】
【００２１】
以下、本発明の実施形態について、添付図面を参照して説明する。
【００２２】
図１〜図１１は実施形態に係る化粧料容器の説明図であり、図１が化粧料容器の不使用時に本体に先軸を格納した状態の説明図、図２が該化粧料容器の使用時の本体及び先軸を示す説明図、図３が該化粧料容器の先軸の使用時の説明図、図４が該化粧料容器の収納部の説明図、図５が該化粧料容器の可動底部材の説明図、図６が該化粧料容器のシャッター部材の説明図、図７が該化粧料容器の本体に先軸を格納する直前の説明図、図８が該化粧料容器の本体に先軸を格納したときの説明図、図９が該化粧用容器の本体に先軸を格納する前後における粉体化粧料の通路が閉鎖・形成の説明図、図１０が該化粧料容器の先軸の説明図、図１１が該先軸の説明図である。
【００２３】
実施形態に係る化粧料容器は、図１や図８に示すように、一端が開口１０ａした筒状の本体１０と筆部１２を設けた先軸１４とを有し、該本体１０内にチークパウダー等の粉体化粧料１６が収容されていて、前記本体１０に前記開口から先軸１４を格納した状態で、該先軸１４の筆部１２に当該粉体化粧料１６が供給され、一方、図２に示すように、前記本体１０から先軸１４を外した状態で筆部１２によって粉体化粧料１６を対象部に塗布可能にする化粧料容器である。
【００２４】
本体１０の内部には、図２、図８に示すように、粉体化粧料１６を収納する収納部１８と、該収納部１８を覆い摺動可能なシャッター部材２０と、スプリング２２によって該本体１０の開口１０ａ端側に向けて付勢され、シャッター部材２０の外側に配置可能な可動底部材２４とを備えている。
【００２５】
前記収納部１８と、前記シャッター部材２０とには、それぞれ軸線上に突起１８ａと２０ａが設けられている。
【００２６】
図１、図８に示すように、前記先軸１４を前記本体１０に格納した状態では、前記の突起１８ａと２０ａの側面の間隙部分１８ａ１と２０ａ１によって収納部１８内の粉体化粧料１６を可動底部材２４の開口２４ａを介して筆部１２に向けて通す通路となり、一方、図２に示すように、前記先軸１４を前記本体１０から外した状態では、その収納部１８及びシャッター部材２０の突起１８ａと２０ａの側面の間隙部分１８ａ１と２０ａ１が閉鎖されるようにしたものである。
【００２７】
詳しくは、化粧料容器は、前記本体１０と前記先軸１４とはネジ嵌合（雌ネジ１０ｂ、雄ネジ１４ａ）によって着脱可能になっている。
【００２８】
先軸１４の筆部１２は天然または人工繊維を筆状に束ねたもので粉体化粧料１６を肌に塗布しやすい弾力や密度がある。そして、使用時にスリーブ３２を引っ込めて使用長さ選択でき、不使用時には、スリーブ３２を繰り出して本体１０に装着嵌合する。
【００２９】
また、粉体化粧料１６には、収納部１８から筆部１２に供給可能なものであれば各種周知のものを用いることができる。
【００３０】
また、前記先軸１４外周部と、可動底部材２４の開口端側内部には、互いに係合するための係合部２６ａと２６ｂが設けられていて、本体１０と先軸１４とをネジ嵌合した際に、先軸１４の外周部と可動底部材２４の内部の係合部２６ａと２６ｂ同士が係合して、先軸１４に合わせて可動底部材２４が本体１０内で摺動するようになっている。なお、実施形態では、係合部２６ａが複数のリブ状突起で、係合部２６ｂが複数の軸方向の溝になっている。
【００３１】
前記収納部１８側の可動底部材２４の内面と、それに向き合うシャッター部材２０の外周部には、互いに係合するための係合部２８ａと２８ｂが設けられ、図７に示すように、先軸１４の摺動に合わせて、可動底部材２４及びシャッター部材２０の係合部２８ａと２８ｂ同士が係合した時点でシャッター部材２０も摺動するようにしている。なお、実施形態では、係合部２８ａが複数のリブ状突起で、係合部２８ｂが複数の軸方向の溝になっている。
【００３２】
先軸１４を本体１０に装着してネジ嵌合させる前には、図７や図９（ｂ）に示すように、収納部１８及びシャッター部材２０の突起１８ａと２０ａの側面の間隙部分１８ａ１と２０ａ１が閉鎖されており、先軸１４を本体１０に装着して回転させてネジ嵌合し格納した状態では、図８や図９（ｃ）に示すように、前記の突起１８ａと２０ａの側面の間隙部分１８ａ１と２０ａ１によって収納部１８内の化粧料を可動底部材２４の開口２４ａを介して筆部１２に向けて通す通路となるようにしたものである。
【００３３】
ここで、前記収納部１８は、図２、図４に示すように、本体１０の閉塞側（開口１０ａ反対側）に開口１８ｂに向けて本体１０内に収納され、本体１０の他端を閉鎖する尾栓３０（本体１０に嵌着またはネジ結合される）を取り外すことによって粉体化粧料１６を収納部１８に補充可能としている。収納部１８は開口１８ｂの周囲が鍔状に太径になった容器状のものであって、開口１８ｂ反対側端が壁状に閉鎖していて、その壁状の閉鎖部に内向きに突起１８ａが突出形成されている。この突起１８ａは概略カップ状を呈しており、側面図に間隙部分１８ａ１の孔が一対形成されている。
【００３４】
前記収納部１８は本体１０の開口１０ａ側から内部に装着されて本体１０内部の段差部１０ｃに突き当たっている。本体１０内に収納されるスプリング２２の一端が収納部１８の外周に位置して開口１８ｂ周囲に鍔状の部分に係止し、該スプリング２２の他端が可動底部材２４に当接している。
【００３５】
可動底部材２４は、図５に示すように、筒状を呈して収納部１８側（開口２４ａ側）に近い部分が壁部２４ｂで仕切られ、壁部２４ｂにカップ状の突起２４ｃに間隙部分（開口）２４ｃ１が対で形成されている。可動底部材２４の周面には、環状にリブ２４ｄが形成されて、このリブ２４ｄで先軸１４の内周のリブ１０ｄに係止して抜け止めされる。
【００３６】
また、シャッター部材２０には、図６、図９に示すように、椀状を呈した可動底部材２４に覆われる壁部に、収納部１８側に向けてカップ状の突起２０ａが突出形成されている。その突起２０ａには、孔の間隙部分２０ａ１が対で形成されている。また、シャッター部材２０の周囲であって、可動底部材２４に装着する側には溝状の係合部２８ｂがスプライン状に形成されている。
【００３７】
また、可動底部材２４の突起２４ｃが、本体１０に先軸１４が収まった際に、筆部１２先端内に潜り込む位置関係となっている。
【００３８】
また、筆部１２を設けた先軸１４には、図３、図１０、図１１に示すように、筆部１２を覆うためのスリーブ３２と該スリーブ３２の繰出機構３４とが設けられて、該繰出機構３４によりスリーブ３２から突出した筆部１２の出先寸法の調整が可能とされている。
【００３９】
繰出機構３４は、尾端にカバーで覆われた摘み部（回転体）３４ａがあり、摘み部３４ａは、先軸１４の筒状の本体後端部から内部に先軸１４に対して回転可能に設けられている。また、軸方向溝のある筒部３４ｃが摘み３４ａに対して固定されている。また、先軸１４の筒状の本体内周に螺旋溝３４ｂが形成されている。図２（ｂ）、図１１等に示すように、スリーブ３２の尾端の径方向突起３４ｄが、筒部３４ｃの軸方向溝を経由して、前記螺旋溝３４ｂに入り込んで係合している。
【００４０】
前記摘み３４ａを先軸１４の本体に対して回転させることによって、筒部３４ｃが回転し、螺旋溝３４ｂと筒部３４ｃの直線溝が相対回転するため、スリーブ３２が軸方向に出没する繰り出し動作し、筆部１２の出寸法調整が可能になる。
【００４１】
なお、先軸１４及び本体１０の嵌合ネジ１４ｂ及び１０ｂには、多条のネジ山が形成されている。
【００４２】
実施形態に化粧料容器によれば、本体１０の内部には、粉体化粧料１６を収納する収納部１８と、該収納部１８を覆い摺動可能なシャッター部材２０と、スプリング２２によって該本体１０の開口端側に向けて付勢され、シャッター部材２０の外側に配置可能な可動底部材２４とを備え、前記収納部１８と、前記シャッター部材２０とには、それぞれ中心軸線上に突起を設けている。
【００４３】
先軸１４の格納する際には、格納の直前では、まず、図１０に示すようにスリーブ３２を繰り出して筆部１２を覆う。
【００４４】
その後に、図７、図９（ｂ）に示すように、先軸１４を本体１０の可動底部材２４に装着し、これにより、先軸１４の係合部２６ａと可動底部材２４の係合部２６ｂがかみ合わせて係合させ、本体１０内に先軸１４をスプリング２２の弾発力に抗してネジ込み、格納時直前の状態になる。先軸１４の係合部２６ａと可動底部材２４の係合部２６ｂが係合するので、先軸１４の回転に伴って、可動底部材２４も回転する。可動底部材２４の突起２４ｃが筆部１２の先端に潜り込んでいる。
【００４５】
さらに、図１、図８に示すように、本体１０内に先軸１４を回転させてネジ込むと可動底部材２４の係合部２８ａがシャッター部材２０の係合部２８ｂかみ合った係合し、先軸１４の回転で可動底部材２４が回転し、さらに、シャッター部材２０も回転する。
【００４６】
格納の直前状態では、図７、図９（ｂ）に示すように、シャッター部材２０が収納部１８に対して摺動して、シャッター部材２０の突起２０ａの間隙部分２０ａ１が収納部１８の突起１８ａの間隙部分１８ａ１が当初不合致で閉鎖した状態である。
【００４７】
さらに、先軸１４の回転によって、図８、図９（ｃ）に示すように、可動底部材２４を介してシャッター部材２０が回転して、シャッター部材２０の突起２０ａの間隙部分２０ａ１が収納部１８の突起１８ａの間隙部分１８ａ１が合致して粉体化粧料１６の通路が形成されることになる。
【００４８】
したがって、前記先軸１４を前記本体１０に格納した状態では、前記の突起１８ａと２０ａの側面の間隙部分１８ａ１と２０ａ１によって収納部１８内の粉体化粧料１６を可動底部材２４の開口２４ａを介して筆部１２に向けて通す通路となる。
【００４９】
一方、図２に示すように、前記先軸１４を前記本体１０から外した状態では、その収納部１８及びシャッター部材２０の突起１８ａと２０ａの側面の間隙部分１８ａ１と２０ａ１が閉鎖される。本体１０側では、可動底部材２４が本体１０の開口１０ａからやや突出している。
【００５０】
先軸１４を本体１０から外した使用時に、シャッター部材２０と収納部１８との間隙部分が閉鎖されて通路が形成されないため、本体１０を上下に逆さまにしても粉体化粧料１６がこぼれることがなく手等や容器を汚すことがない。
【００５１】
また、先軸１４を本体１０に装着した（ネジ嵌合時等の）状態（不使用時）では、シャッター部材２０と収納部１８との突起の間隙部分が開放して通路が連通するので、化粧料容器を振ることで粉体化粧料１６を筆部１２先端に供給することができる。
【００５２】
なお、先軸１４を本体１０に装着するのにネジ嵌合で着脱可能であるので使い易い。また、先軸１４を本体１０に装着してネジ嵌合させる前には、収納部１８及びシャッター部材２０の突起側面の間隙部分が閉鎖されており、先軸１４を本体１０に装着して回転させてネジ嵌合を完了した状態では、前記の突起側面の間隙部分によって収納部１８内の化粧料を可動底部材２４の開口を介して筆部１２に向けて通す通路となるようにすれば、先軸１４の本体１０にネジ締め付けが完了した状態で粉体化粧料１６が筆部１２に供給されるので、途中で粉体化粧料１６が漏れることがない。
【００５３】
また、本発明において該繰出機構によりスリープ３２から突出した筆部１２の出先寸法の調整が可能として、該筆部１２の筆先を必要なだけ出して使用しやすい。
【００５４】
また、可動底部材２４の突起が、本体１０に先軸１４が収まった際に、筆部１２内に潜り込む位置関係となっていることによって、筆部１２の筆先に少しもぐりこんだ位置に粉体化粧料を供給できるので、粉体化粧料１６が過剰で零れ落ち、周辺を汚すことなく使用できる。
【００５５】
また、本体１０と先軸１４の各嵌合ネジが多条ネジであれば、粉体化粧料１６の供給を頻繁に行った場合でもネジ回転の煩雑さを低減させることができる。
【００５６】
また、本体１０内の収納部１８には、該本体１０の他端を閉鎖する尾栓３０を取り外すことによって粉体化粧料１６を補充可能にできる。
【産業上の利用可能性】
【００５７】
本発明の化粧料容器は、各種の粉体化粧料を収容した本体と、化粧料に使用する化粧筆を、スリーブの繰出機構にて収容可能とした化粧筆付きの先軸とを有する化粧料容器に利用することができる。
【符号の説明】
【００５８】
１０  本体
１０ａ  開口
１０ｂ  雌ネジ
１０ｃ  段差部
１０ｄ  リブ
１２  筆部
１４  先軸
１４ａ  雄ネジ
１４ｂ  嵌合ネジ
１６  粉体化粧料
１８  収納部
１８ａ  突起
１８ａ１  間隙部分
１８ｂ  開口
２０  シャッター部材
２０ａ  突起
２０ａ１  間隙部分
２２  スプリング
２４  可動底部材
２４ａ  可動底部材の開口
２４ｂ  可動底部材の壁部
２４ｃ  可動底部材の突起
２４ｃ１  可動底部材の突起の間隙（開口）
２４ｄ  可動底部材の外周面のリブ
２６ａ  先軸先端の係合部
２６ｂ  可動底部材開口側の係合部
２８ａ  可動底部材収納部側の係合部
２８ｂ  シャッター部材外周の係合部
３０  尾栓
３２  スリーブ
３４  繰出機構
３４ｂ  螺旋溝
３４ｃ  筒部
３４ｄ  径方向突起
【図１】
2014151063.tif 000003
【図２】
2014151063.tif 000004
【図３】
2014151063.tif 000005
【図４】
2014151063.tif 000006
【図５】
2014151063.tif 000007
【図６】
2014151063.tif 000008
【図７】
2014151063.tif 000009
【図８】
2014151063.tif 000010
【図９】
2014151063.tif 000011
【図１０】
2014151063.tif 000012
【図１１】
2014151063.tif 000013